(57)【特許請求の範囲】
【請求項１】
公衆電話回線に接続されるとともに単独の固定電話端末のみに接続される親機と、前記親機と１本のグラスファイバ光ケーブルで接続されるとともに前記固定電話端末とは異なる別の単独の固定電話端末のみに接続される子機とから成る電話回線延長装置であって、
前記親機は、
前記公衆電話回線と前記子機との間の通話及び前記親機と前記子機との間の通話のための接続制御信号及び音声信号を複数ビットの固定長のシリアルデータのデータフレームに変換する手段と、
前記シリアルデータのデータフレームを変調し光信号に変換して前記グラスファイバ光ケーブルに一定周期で送出する手段と、
前記グラスファイバ光ケーブルから受信される光信号を電気信号に変換して復調し固定長のシリアルデータのデータフレームに変換する手段と、
前記復調したシリアルデータのデータフレームを接続制御信号及び音声信号に変換する手段と、
前記変換した接続制御信号を基に、前記公衆電話回線又は前記親機に接続される前記固定電話端末に接続制御信号を送出する手段と、
前記公衆電話回線と前記親機に接続された前記固定電話端末とを接続し、又は前記親機に接続された前記固定電話端末を前記グラスファイバ光ケーブル側へ接続し、又は前記公衆電話回線を前記グラスファイバ光ケーブル側へ接続する接続切替スイッチと、
前記公衆電話回線又は前記子機の何れが発信先であるかを示す発信切替スイッチの出力信号に従って、前記接続制御信号を生成する手段と、
を備え、
前記子機は、
前記親機を介する通話のための接続制御信号及び音声信号を複数ビットの固定長のシリアルデータのデータフレームに変換する手段と、
前記シリアルデータのデータフレームを変調し光信号に変換して前記グラスファイバ光ケーブルに一定周期で送出する手段と、
前記グラスファイバ光ケーブルから受信される光信号を電気信号に変換して復調し固定長のシリアルデータのデータフレームに変換する手段と、
前記復調したシリアルデータのデータフレームを接続制御信号及び音声信号に変換する手段と、
前記変換した接続制御信号を基に、前記子機に接続される前記固定電話端末に接続制御信号を送出する手段と、
前記公衆電話回線又は前記親機の何れが発信先であるかを示す発信切替スイッチの出力信号に従って、前記接続制御信号を生成する手段と、
を備えた
ことを特徴とする電話回線延長装置。
【請求項２】
前記公衆電話回線からの着信時に、前記公衆電話回線からの着信を示す接続制御信号を前記親機から前記子機に送信し、前記親機に接続される前記固定電話端末及び前記子機に接続される前記固定電話端末の両方に対して呼出信号を送出する手段と、
前記呼出信号に対するオフフック検出を示す接続制御信号を、前記親機と前記子機との間で相互に送受し、先にオフフックを検出した前記親機又は前記子機と、前記公衆電話回線とを、接続するよう制御する接続制御手段と、
を備えたことを特徴とする請求項１に記載の電話回線延長装置。
【請求項３】
前記親機から前記公衆電話回線への発信を示す接続制御信号と、前記子機から前記公衆電話回線への発信を示す接続制御信号とを、前記親機と前記子機との間で相互に送受し、先に発信を示す接続制御信号が送信された前記親機又は前記子機と、前記公衆電話回線とを、接続するよう制御する接続制御手段と、
を備えたことを特徴とする請求項１又は２に記載の電話回線延長装置。
【請求項４】
前記親機に接続される前記固定電話端末と、前記子機に接続される前記固定電話端末との内線接続において、
自装置に接続された前記固定電話端末のオフフック検出を示す接続制御信号を、前記親機と前記子機との間で相互に送受し、前記親機と前記子機のうち、オフフック検出を示す接続制御信号を受信した側の方で、自装置に接続された前記固定電話端末に呼出信号を送出させるよう制御する接続制御手段
を備えたことを特徴とする請求項１乃至３の何れかに記載の電話回線延長装置。
【発明の詳細な説明】
【技術分野】
【０００１】
本発明は、既存の電話回線を離れた場所に延長し、親機（公衆回線側に設置した装置）と子機（延長回線側に設置した装置）それぞれに接続した固定電話端末どうしでも通話することが可能な電話回線延長装置に関する。
【背景技術】
【０００２】
従来の電話回線延長装置は、ローカルエリアネットワークによるものや無線回線によるものが一般に良く知られているが、１Ｋｍ以上離れた子機と延長回線で接続しようとした場合、信号レベルの減衰や障害物の影響による通信障害を避けるため、途中に中継装置を設ける必要があり、そのための電源を用意する必要も生じる。
【０００３】
本発明に関連する先行技術として、固定電話端末が接続される複数の中継器を順々にプラスチック光ファイバで縦続接続し、各固定電話端末同士間の通話及び各固定電話端末と公衆電話回線との間の通話を可能に構成した配線システムが、下記の特許文献１に記載されている。
【先行技術文献】
【特許文献】
【０００４】
【特許文献１】特開平１１−３４６１９３号公報
【発明の概要】
【発明が解決しようとする課題】
【０００５】
既存の電話回線（公衆電話回線）に接続された親機が設置される事務所等の建物から遠く離れた建屋（例えば作業場等）に子機を設置し、延長回線及び中継装置を介して親機と子機とを接続するに当たって、中継装置を設置する場所は、屋外になってしまうことが多く、中継装置の雨や雪等に対する対策や電源配線の敷設作業量とその費用が、電話回線の増設と同程度のものになってしまうという問題があった。
【０００６】
本発明は以上の問題点に鑑みてなされたもので、中継装置を設けることなく、外来ノイズや障害物の影響が少なく、良好な通話品質が得られ、設置の容易な電話回線延長装置を提供することを目的とする。
【課題を解決するための手段】
【０００７】
本発明に係る電話回線延長装置は、公衆電話回線に接続される親機と、前記親機とグラスファイバ光ケーブルで接続される子機とから成る電話回線延長装置であって、前記親機は、前記公衆電話回線と前記子機との間の通話及び前記親機と前記子機との間の通話のための接続制御信号及び音声信号を複数ビットのシリアルデータに変換する手段と、前記シリアルデータを変調し光信号に変換して前記グラスファイバ光ケーブルに一定周期で送出する手段と、前記グラスファイバ光ケーブルから受信される光信号を電気信号に変換して復調しシリアルデータに変換する手段と、前記復調したシリアルデータを接続制御信号及び音声信号に変換する手段と、前記変換した接続制御信号を基に、前記公衆電話回線又は前記親機に接続される固定電話端末に接続制御信号を送出する手段と、前記公衆電話回線と前記親機に接続された固定電話端末とを接続し、又は前記親機に接続された固定電話端末を前記グラスファイバ光ケーブル側へ接続し、又は前記公衆電話回線を前記グラスファイバ光ケーブル側へ接続する接続切替スイッチと、前記公衆電話回線又は前記子機の何れが発信先であるかを示す発信切替スイッチの出力信号に従って、前記接続制御信号を生成する手段と、を備え、前記子機は、前記親機を介する通話のための接続制御信号及び音声信号を複数ビットのシリアルデータに変換する手段と、前記シリアルデータを変調し光信号に変換して前記グラスファイバ光ケーブルに一定周期で送出する手段と、前記グラスファイバ光ケーブルから受信される光信号を電気信号に変換して復調しシリアルデータに変換する手段と、前記復調したシリアルデータを接続制御信号及び音声信号に変換する手段と、前記変換した接続制御信号を基に、前記子機に接続される固定電話端末に接続制御信号を送出する手段と、前記公衆電話回線又は前記親機の何れが発信先であるかを示す発信切替スイッチの出力信号に従って、前記接続制御信号を生成する手段と、を備えたものである。
【発明の効果】
【０００８】
本発明によれば、既存の公衆電話回線に接続された親機と、該親機とグラスファイバ光ケーブルで接続される子機とを有し、公衆電話回線と子機との通話及び親機と子機との通話のための接続制御信号及び音声信号を、親機及び子機内で所定の形式のシリアルデータに変換して光信号に変換し、一定周期で互いにデータ交換を行い、親機及び子機が同期して通話接続を制御する電話回線延長装置が構成される。該電話回線延長装置を用いることにより、中継装置を設けることなく、外来ノイズや障害物の影響が少なく、良好な通話品質が得られ、容易に延長回線を設置することができる。
【図面の簡単な説明】
【０００９】
【図１】本発明の電話回線延長装置の全体構成を示す図である。
【図２】親機の内部構成を示す図である。
【図３】子機の内部構成を示す図である。
【図４】固定長のシリアルデータのデータフレームの構成例を示す図である。
【図５】親機の動作のメインルーチンのフローチャートである。
【図６】外線着信時の親機の動作のフローチャートである。
【図７】子機の動作のメインルーチンのフローチャートである。
【図８】外線着信時の子機の動作のフローチャートである。
【発明を実施するための形態】
【００１０】
以下、本発明の実施の形態について図面を参照して説明する。図１は本発明の全体構成を示す。本発明の電話回線延長装置は、親機（公衆回線側装置）１とグラスファイバ光ケーブル１０と子機（延長側装置）２とから構成される。
【００１１】
親機１は、モジュラーコネクタ３に接続されるモジュラーケーブル１３により公衆電話回線（外線）に接続され、もう一つのモジュラーコネクタ４に接続されるモジュラーケーブル１１により親側固定電話端末８に接続され、光コネクタ５に接続されるグラスファイバ光ケーブル１０により子機２と接続される。
【００１２】
子機２は、モジュラーコネクタ７に接続されるモジュラーケーブル１２により子側固定電話端末９に接続され、光コネクタ６に接続されるグラスファイバ光ケーブル１０により親機１と接続される。グラスファイバ光ケーブル１０を用いて子機２と親機１とを接続することにより、子機２は親機１から１Ｋｍ以上離れた建屋等に設置可能である。
【００１３】
図２は親機１の内部構成を示す。親機１はモジュラーコネクタ３によって公衆電話回線に接続される。呼出信号検出部１４は、公衆電話回線からの着信時の呼出信号を検出し、該呼出信号の検出を制御部（ＣＰＵ）２１に知らせる。フック機能部１５は、制御部２１からの指令により公衆電話回線に対してオンフック／オフフックの状態を切替える。
【００１４】
モジュラーコネクタ４には、親側固定電話端末８が接続され、親側固定電話端末８は、子側外線内線切替スイッチ２６と親側外線内線切替スイッチ２８とによって、外線接続（公衆電話回線との接続）と内線接続（延長回線により接続された子側固定電話端末９との接続）とが切替えられる。
【００１５】
子側外線内線切替スイッチ２６を内線側（ｂ側）に、親側外線内線切替スイッチ２８を外線側（ａ側）に切り替えたとき、親側固定電話端末８は外線接続となり、子側外線内線切替スイッチ２６を内線側（ｂ側）に、親側外線内線切替スイッチ２８を内線側（ｂ側）に切り替えたとき、親側固定電話端末８は内線接続となる。
【００１６】
端末用電源部２９は、内線接続時に親側固定電話端末８への電流を供給する。オフフック検出部３０は、親側固定電話端末８の送受話器のオンフック／オフフックの状態を検出し、該オンフック／オフフックの状態を制御部２１に知らせる。呼出信号発生部２５は、内線接続時に親側固定電話端末８への呼出信号を発生し、呼出信号送出スイッチ２７を送出側（ａ側）に切り替えて、親側固定電話端末８に呼出信号を送出し、親側固定電話端末８の呼出ベルを鳴動させる。
【００１７】
発信切替スイッチ３１は、親機１に接続されている親側固定電話端末８から発信する際に、発信先を選択するためにユーザによって操作され、「回線」が選択された場合は外線（公衆電話回線）への発信、「１対１」が選択された場合は内線（子側固定電話端末９）への発信の要求であることを制御部２１に知らせる。
【００１８】
信号変換部１６は、外線又は親側固定電話端末８からの音声信号を入力アンプ１７に送り、出力アンプ１８からの音声信号を外線又は親側固定電話端末８に送る。さらに、信号変換部１６は、出力アンプ１８からの音声信号が入力アンプ１７に戻らないようにする回路機能を有している。入力アンプ１７に送られた音声信号は、入力アンプ１７で信号振幅の補正が行われ、アナログデジタル変換器（ＡＤＣ）１９によって２値化され、制御部２１に送られる。
【００１９】
制御部２１は、２値化された音声信号と通話の接続制御信号とを固定長のシリアルデータに変換し、一定周期で変調部２２に送る。ここで変調部２２に送る接続制御信号とは、呼出信号検出部１４、オフフック検出部３０及び発信切替スイッチ３１からの信号並びに制御部２１の状態を示す信号である。
【００２０】
変調部２２は、受け取ったシリアルデータを位相変調し、光電変換部２４に送る。光電変換部２４は、位相変調されたシリアルデータを光信号に変換し、光コネクタ５に接続されるグラスファイバ光ケーブルを通して子機２に一定周期で送信する。
【００２１】
子機２からグラスファイバ光ケーブル１０、光コネクタ５を通して入力される光信号はｄ、光電変換部２４で電気信号に変換され、復調部２３でシリアルデータに復調され、制御部２１に送られ、制御部２１で音声信号と制御信号とに分離される。
【００２２】
分離された２値の音声信号は、デジタルアナログ変換器（ＤＡＣ）２０でアナログ信号に変換され、出力アンプ１８で信号振幅の補正が行われ、信号変換部１６に送られる。また、子機２の回線状態及び公衆電話回線の回線状態を示す接続制御信号を基に、制御部２１は、親機１のフック機能部１５、子側外線内線切替スイッチ２６、呼出信号送出スイッチ２７、及び親側外線内線切替スイッチ２８の切替え制御を行う。
【００２３】
図３は子機２の内部構成を示す。子機２は、外線（公衆電話回線）に直接接続されないため、親機１の呼出信号検出部１４、フック機能部１５、子側外線内線切替スイッチ２６及び親側外線内線切替スイッチ２８に相当するものは必要ない。子機２のその他の機能部は、親機１のものと同様である。
【００２４】
モジュラーコネクタ７には、子側固定電話端末９が接続される。呼出信号発生部４１は、子側固定電話端末９への呼出信号を発生し、呼出信号送出スイッチ４２が送出側（ａ側）に切替えられたときに、子側固定電話端末９へ呼出信号を送出し、子側固定電話端末９の呼出ベルを鳴動させる。
【００２５】
発信切替スイッチ４５は、子機２に接続されている子側固定電話端末９から発信する際に、発信先を選択するためにユーザによって操作され、「回線」が選択された場合は外線（公衆電話回線）への発信、「１対１」が選択された場合は内線（親側固定電話端末８）への発信の要求であることを制御部３７に知らせる。
【００２６】
信号変換部３２は、子側固定電話端末９からの音声信号を入力アンプ３３に送り、出力アンプ３４からの音声信号を子側固定電話端末９に送る。さらに、信号変換部３２は、出力アンプ３４からの音声信号が入力アンプ３３に戻らないようにする回路機能を有している。入力アンプ３３に送られた音声信号は、入力アンプ３３で信号振幅の補正が行われ、アナログデジタル変換器（ＡＤＣ）３５によって２値化され、制御部３７に送られる。
【００２７】
制御部３７は、２値化された音声信号と通話のための接続制御信号とを固定長のシリアルデータに変換し、一定周期で変調部３８に送る。ここで変調部３８に送る接続制御信号とは、オフフック検出部４４及び発信切替スイッチ４５からの信号並びに制御部３７の状態を示す信号である。
【００２８】
変調部３８は、受け取ったシリアルデータを位相変調し、光電変換部４０に送る。光電変換部４０は、位相変調されたシリアルデータを光信号に変換し、光コネクタ６に接続されるグラスファイバ光ケーブル１０を通して親機１に送信する。
【００２９】
親機１からグラスファイバ光ケーブル１０、光コネクタ６を通して入力される光信号は、光電変換部４０で電気信号に変換され、復調部３９でシリアルデータに復調され、制御部３７に送られ、制御部３７で音声信号と制御信号に分離される。
【００３０】
分離された２値の音声信号は、デジタルアナログ変換器（ＤＡＣ）３６でアナログ信号に変換され、出力アンプ３４で信号振幅の補正が行われ、信号変換部３２に送られる。また、親機１の回線状態と公衆電話回線の回線状態を示す接続制御信号を基に、制御部３７は、子機２の呼出信号送出スイッチ４２の制御を行う。端末用電源４３は、子側固定電話端末９へ電流を供給する。
【００３１】
図４は、親機１と子機２とで送受される固定長のシリアルデータのデータフレームの構成例を示す。該データフレームは、４バイトを１フレームとして３２μｓｅｃ（３１．２５ＫＨｚ）毎に送信される。図４において（ａ）は１バイト目、（ｂ）は２バイト目、（ｃ）は３バイト目、（ｄ）は４バイト目である。
【００３２】
各バイトのｂ６及びｂ７のビットは、フレーム番号００〜１１を示す。１バイト目のｂ０〜ｂ５のＳＴ５〜ＳＴ０の６ビットは、接続制御信号を表す。２バイト目及び３バイト目のｂ０〜ｂ５のＡＤ１１〜ＡＤ０の１２ビットは、音声信号データを表す。各バイトのＰのＲＰ０〜ＲＰ３のビットは、各バイトの奇数行パリティを示す。４バイト目のｂ０〜ｂ５のＣＰ５〜ＣＰ０の６ビットは、１バイト目〜３バイト目の各ビット位置における奇数列パリティを示す。
【００３３】
受信は１フレーム（４バイト連続）ごとに行い、フレーム番号、行パリティ、列パリティをチェックし、誤りが有る場合は受信したデータを採用しない。変調方式としては、バイフェイズ符号を採用することができる。
【００３４】
図５は親機１の動作のメインルーチンのフローチャートである。親機１は、外線着信が有るか否かを監視し（Ｓ５０１）、外線着信が有る場合、後述するステップＣ２Ｓへ移行する。外線着信が無い場合、親機１の親側固定電話端末８からの発信が有るか否かを監視する（Ｓ５０２）。
【００３５】
親機１の親側固定電話端末８からの発信が有る場合、発信先が「回線」であるか「１対１」であるかを判定し（Ｓ５０８）、発信先が「回線」である場合、親機外線通話処理を実施し（Ｓ５１０）、発信先が「１対１」である場合、内線発信処理を実施する（Ｓ５０９）。
【００３６】
親機１からの発信が無い場合、子機２からの発信が有るか否かを監視する（Ｓ５０３）。子機２からの発信が有る場合、発信先が「回線」であるか「１対１」であるかを判定し（Ｓ５０５）、発信先が「回線」である場合、子機外線通話処理を実施し（Ｓ５０７）、発信先が「１対１」である場合、内線着信処理を実施する（Ｓ５０６）。
【００３７】
外線着信が無く、親機１での発信が無く、子機２での発信が無い場合、０．１秒間待機し（Ｓ５０４）、ステップＳ５０１に戻って、親機１の動作のメインルーチンを繰り返す。また、内線発信処理（Ｓ５０９）、親機外線通話処理（Ｓ５１０）、内線着信処理（Ｓ５０６）又は子機外線通話処理（Ｓ５０７）を実施し、それらの通話が終了した後は、ステップＳ５０１に戻って、親機１の動作のメインルーチンを繰り返す。
【００３８】
図６は外線着信時の親機１の動作のフローチャートである。メインルーチンのステップＳ５０１で外線着信有りが検出された場合、呼出信号送出スイッチ２７を送出側（ａ側）に切替え、呼出信号発生部２５から呼出信号を送出し（Ｓ６０１）、親側固定電話端末８の呼出ベルを、例えば１秒間鳴動し２秒間停止する断続音として鳴動させる。
【００３９】
そして、公衆電話回線における着信信号の停止から所定時間（２．５秒）の間に親機１又は子機２のオフフックが検出されるかを監視するループ処理を行うためのループ回数Ｌｏｏｐに１を設定する（Ｓ６０２）。次に、０．１秒を待機する（Ｓ６０３）。
【００４０】
次に、親機１のオフフック検出部３０によりオフフックが検出されたか否かを監視する（Ｓ６０４）。親機１のオフフック検出部３０によりオフフックが検出された場合、ステップＬＴ１に移行する。ステップＬＴ１に移行すると、図５の親機外線通話処理を実施する（Ｓ５１０）。
【００４１】
親機１でのオフフックが検出されない場合、子機２のオフフック検出部４４によりオフフックが検出されたか否かを監視する（Ｓ６０５）。子機２のオフフック検出部４４によりオフフックが検出された場合、ステップＬＴ２に移行する。ステップＬＴ２に移行すると、図５の子機外線通話処理を実施する（Ｓ５０７）。
【００４２】
親機１及び子機２でオフフックが検出されない場合、着信信号が呼出信号検出部１４で検出されているか否かを判定する（Ｓ６０６）。着信信号が検出されている場合、ステップＳ６０１に戻り、呼出信号の送出動作を継続させ、以下ステップＳ６０２〜Ｓ６０６の動作を繰り返す。
【００４３】
外線からの着信信号の検出が途切れた場合、ループ回数Ｌｏｏｐに１を加算し（Ｓ６０７）、ループ回数Ｌｏｏｐが２５を越えたか否かを判定する（Ｓ６０８）。ループ回数Ｌｏｏｐが２５以下の場合、ステップＳ６０３に戻り、ステップＳ６０３〜Ｓ６０８の動作を繰り返す。
【００４４】
着信信号の停止から所定時間（２．５秒）の間に親機１又は子機２でオフフックの有無を監視するのは、ノイズ等によって着信信号が正常に検出されなかった場合に対して、誤って着信接続処理を終了してしまうのを防ぐためである。ループ回数Ｌｏｏｐが２５を越えた場合、即ち、着信信号の停止から２．５秒経過した後は、ステップＣ２Ｅに移行し、図５のステップＳ５０１からのメインルーチン動作を実施する。
【００４５】
図７は、子機２の動作のメインルーチンのフローチャートである。子機２は、親機１で通話中か否かを監視する（Ｓ７０１）。親機１で通話中か否かは、親側外線内線切替スイッチ２８を外線側（ａ側）に切替えている状態、即ち、図５のステップＳ５１０により親機外線通話処理を実施している状態を示す接続制御信号が、親機１の制御部２１から子機２の制御部３７に送られるので、該接続制御信号を基に子機２の制御部３７で判定する。
【００４６】
親機１で通話中の場合、後述するステップＳ７０５へ移行する。親機１で通話中でない場合、外線からの着信が有るか否かを判定する（Ｓ７０２）。外線からの着信が有る場合、後述するステップＣ１Ｓへ移行する。外線からの着信が有るか否かの判定は、親機１の呼出信号検出部１４で呼出信号が検出されたことを示す接続制御信号が、親機１の制御部２１から子機２の制御部３７に送られるので、子機２の制御部３７で該接続制御信号を基に判定する。
【００４７】
外線からの着信が無い場合、親機１での発信が有るか否かを判定する（Ｓ７０３）。親機１での発信は、親機１のオフフック検出部３０でオフフックが検出されたことを示す接続制御信号が、親機１の制御部２１から子機２の制御部３７に送られるので、子機２の制御部３７で該接続制御信号を基に判定する。
【００４８】
親機１での発信が有る場合、該発信の発信先が「回線」であるか「１対１」であるかを判定し（Ｓ７０８）、発信先が「回線」である場合、後述するステップＳ７０５に移行する。発信先が「１対１」である場合、内線着信処理を実施し（Ｓ７０９）、その通話の終了後にステップＳ７０５に移行する。
【００４９】
発信先が「回線」であるか「１対１」であるかは、親機１の発信切替スイッチ３１により選択された発信先を示す接続制御信号が、親機１の制御部２１から子機２の制御部３７に送られるので、子機２の制御部３７で該接続制御信号を基に判定する。
【００５０】
親機１での発信が無い場合、子機２での発信が有るか否かを判定する（Ｓ７０４）。子機２での発信が有るか否かは、子機２のオフフック検出部４４でオフフックが検出されたか否かを監視することにより判定する。
【００５１】
子機２での発信が有る場合、発信先が「回線」であるか「１対１」であるかを判定し（Ｓ７０６）、発信先が「回線」である場合、子機外線通話処理を実施する（Ｓ７１０）。発信先が「１対１」である場合、内線発信処理を実施する（Ｓ７０７）。発信先が「回線」であるか「１対１」であるかは、子機２の発信切替スイッチ４５により選択された発信先を示す接続制御信号を基に、子機２の制御部３７で判定する。
【００５２】
親機１で通話中でなく、外線着信が無く、親機１での発信が無く、子機２での発信が無い場合は、０．１秒間待機し（Ｓ７０５）、ステップＳ７０１に戻って、子機２の動作のメインルーチンを繰り返す。また、内線発信処理（Ｓ７０７）又は子機外線通話処理（Ｓ７１０）を実施し、その通話が終了した後は、ステップＳ７０１に戻って、子機２の動作のメインルーチンを繰り返す。
【００５３】
図８は外線着信時の子機２の動作のフローチャートである。メインルーチンのステップＳ７０２で外線着信有りが検出された場合、子機２では、呼出信号送出スイッチ４２を送出側（ａ側）に切替え、呼出信号発生部４１から呼出信号を子側固定電話端末９に送出し（Ｓ８０１）、子側固定電話端末９の呼出ベルを、例えば１秒間鳴動し２秒間停止する断続音として鳴動させる。
【００５４】
そして、着信信号の停止から所定時間（２．５秒）の間に子機２のオフフックが検出されるかを監視するループ処理を行うためのループ回数Ｌｏｏｐに１を設定する（Ｓ８０２）。次に、０．１秒を待機する（Ｓ８０３）。
【００５５】
次に、子機２のオフフック検出部４４によりオフフックが検出されたか否かを監視する（Ｓ８０４）。子機２のオフフック検出部４４によりオフフックが検出された場合、ステップＬＴ３に移行する。ステップＬＴ３に移行すると、図７の子機外線通話処理を実施する（Ｓ７１０）。
【００５６】
子機２でのオフフックが検出されない場合、親機１の呼出信号検出部１４で検出される着信信号の有りを示す接続制御信号が子機２の制御部３７に送られているか否かを判定する（Ｓ８０５）。着信信号が有る場合、ステップＳ８０１に戻り、呼出信号の送出動作を継続させ、以下ステップＳ８０２〜Ｓ８０５の動作を繰り返す。
【００５７】
外線からの着信信号の検出が途切れた場合、ループ回数Ｌｏｏｐに１を加算し（Ｓ８０６）、ループ回数Ｌｏｏｐが２５を越えたか否かを判定する（Ｓ８０７）。ループ回数Ｌｏｏｐが２５以下の場合、ステップＳ８０３に戻り、ステップＳ８０３〜Ｓ８０７の動作を繰り返す。
【００５８】
着信信号の停止から所定時間（２．５秒）の間に子機２のオフフックが検出されるか否かを監視するのは、ノイズ等によって着信信号が正常に検出されなかった場合に対して、誤って着信接続処理を終了してしまうのを防ぐためである。ループ回数Ｌｏｏｐが２５を越えた場合、即ち、着信信号の停止から２．５秒経過した後は、ステップＣ１Ｅに移行し、図７のステップＳ７０１からのメインルーチン動作を実施する。
【００５９】
以上説明した動作フローにより本電話回線延長装置は、公衆電話回線からの着信時に、公衆電話回線からの着信を示す接続制御信号を親機１から子機２に送信し、親機１に接続される親側固定電話端末８及び子機に接続される子側固定電話端末９の両方に対して呼出信号を送出し、該呼出信号に対するオフフック検出を示す接続制御信号を、親機１と子機２とで相互に送受し、先にオフフックを検出した親機１又は子機２と、公衆電話回線とを、接続するよう、親機１の制御部２１及び子機２の制御部３７で制御する構成とすることができる。
【００６０】
また、親機１から公衆電話回線への発信を示す接続制御信号と、子機２から公衆電話回線への発信を示す接続制御信号とを、親機１と子機２との間で相互に送受し、先に発信を示す接続制御信号が送信された親機１又は子機２と、公衆電話回線とを接続するよう、親機１の制御部２１及び子機２の制御部３７で制御する構成とすることができる。
【００６１】
また、親機１に接続される親側固定電話端末８と、子機２に接続される子側固定電話端末９との内線接続（発信先「１対１」接続）において、親側又は子側の固定電話端末８又は９のオフフック検出を示す接続制御信号を、親機１と子機２との間で相互に送受し、親機１と子機２のうち、オフフック検出を示す制御信号を受信した側の方で、自装置に接続された固定電話端末に呼出信号を送出するよう、親機１の制御部２１及び子機２の制御部３７で制御する構成とすることができる。
【符号の説明】
【００６２】
１      親機（公衆回線側装置）
２      子機（延長回線側装置）
３      モジュラーコネクタ
４      モジュラーコネクタ
５      光コネクタ
６      光コネクタ
７      モジュラーコネクタ
８      親側固定電話端末
９      子側固定電話装置
１０    グラスファイバ光ケーブル
１１    モジュラーケーブル
１２    モジュラーケーブル
１３    モジュラーケーブル
【図１】
0005978535.tif 000002
【図２】
0005978535.tif 000003
【図３】
0005978535.tif 000004
【図４】
0005978535.tif 000005
【図５】
0005978535.tif 000006
【図６】
0005978535.tif 000007
【図７】
0005978535.tif 000008
【図８】
0005978535.tif 000009